(57)【要約】【課題】固形半田を用いて容易に半田接合を行うことが可能な半田接合構造を提供する。【解決手段】電線１０の導体１１の外周面に周方向に沿う形状をなして前記導体１１が半田付けされる導体接着面２１と、前記導体接着面２１にセットされた固形半田３０を固定する固定手段２２と、を備えている。このような構成によれば、半田付けに必要な半田の量が少なくてすむから固形半田３０の溶解熱を小さくでき、また固定手段２２により、固形半田３０が適正な位置に保持されるから、導体接着面２１にセットした固形半田３０の位置がずれたり、半田付け温度が不足して固形半田３０の溶解が不十分になることを容易に防ぐことができ、固形半田３０を用いて容易に半田接合を行うことができる。【選択図】図１
2016024923.tif 000002
【特許請求の範囲】
【請求項１】
電線の導体の外周面に周方向に沿う形状をなして前記導体が半田付けされる導体接着面と、
前記導体接着面にセットされた固形半田を固定する固定手段と、を備えた半田接合構造。
【請求項２】
前記導体接着面を有する半田付け部が、
前記導体接着面にセットされた前記導体の側方に立ち上がる壁部を備えている請求項１に記載の半田接合構造。
【請求項３】
前記固定手段が、前記導体接着面側に張り出して前記固形半田に係止する係止部を備えている請求項１または請求項２に記載の半田接合構造。
【請求項４】
前記導体が、複数の素線を撚り合わせてなるものとされている請求項１ないし請求項３のいずれか一項に記載の半田接合構造。
【発明の詳細な説明】
【技術分野】
【０００１】
本発明は、半田接合構造に関する。
【背景技術】
【０００２】
従来、半田付けにより、電線の端末部に端子金具またはコネクタを接続する技術が知られている。例えば下記特許文献１には、電線の端末部において露出させた導体に予めペースト半田を付着させてから、コネクタに備えられた端子部の上面にペースト半田とともに導体を載置し、ペースト半田を加熱して溶融させ、導体を端子部に半田接合する方法が記載されている。
【先行技術文献】
【特許文献】
【０００３】
【特許文献１】特開２０１０−１４６９３９号公報
【発明の概要】
【発明が解決しようとする課題】
【０００４】
しかしながら、上記のような方法では、適正な量のペースト半田を導体に付着することが難しいという問題がある。ペースト半田の量が多すぎると、例えば端子部が複数並んで配置されている場合には端子部間の短絡を招く虞があり、一方ペースト半田の量が少なすぎると、導体と端子部とが部分的にしか半田付けされず、電気的接触が不完全になる虞がある。
【０００５】
そこで、適正な量の半田を固形状態にし、その固形半田を端子部にセットして半田付けすることで、半田量のばらつきを防ぐことが考えられる。しかし、固形半田を用いて半田付けする場合には、端子部にセットした固形半田の位置がずれることを防いだり、半田付け温度が不足して固形半田の融解が不十分になることを防ぐ等の必要があり、作業は容易ではないと思われた。
【０００６】
本発明は上記のような事情に基づいて完成されたものであって、固形半田を用いて容易に半田接合を行うことが可能な半田接合構造を提供することを目的とする。
【課題を解決するための手段】
【０００７】
本発明の半田接合構造は、電線の導体の外周面に周方向に沿う形状をなして前記導体が半田付けされる導体接着面と、前記導体接着面にセットされた固形半田を固定する固定手段と、を備えたものである。
【発明の効果】
【０００８】
本発明によれば、半田付けに必要な半田の量が少なくてすむから固形半田の溶解熱を小さくでき、また、固定手段により固形半田が適正な位置に保持されるから、導体接着面にセットした固形半田の位置がずれたり、半田付け温度が不足して固形半田の溶解が不十分になることを容易に防ぐことができ、固形半田を用いて容易に半田接合を行うことができる。
【図面の簡単な説明】
【０００９】
【図１】本実施例における半田付け部、固形半田および電線を示す斜視図
【図２】半田付け部に電線をセットする様子を示す正面図
【図３】半田付け部に電線をセットした後の状態を示す正面図
【図４】半田付け部に電線をセットした後の状態を示す平面図
【図５】加熱する前の半田付け部、固形半田および導体を示す断面図
【図６】加熱により固形半田が溶融する様子を示す断面図
【図７】溶融した半田が導体を包囲した状態を示す断面図
【発明を実施するための形態】
【００１０】
本発明の好ましい形態を以下に示す。
本発明の半田接合構造は、前記導体接着面を有する半田付け部が、前記導体接着面にセットされた前記導体の側方に立ち上がる壁部を備えているものとしてもよい。このような構成によれば、熱源を、半田付け部の壁部に近接または当接させることで固形半田のみならず半田付け部も加熱することができるから、固形半田の溶解を速やかに行うことができ、比較的短い時間で良好な半田接合を行うことができる。
【００１１】
また、本発明の半田接合構造は、前記固定手段が、前記導体接着面側に張り出して前記固形半田に係止する係止部を備えているものとしてもよい。このような構成によれば、係止部が固形半田に係止することで、固形半田の位置ずれを防ぐことができる。
【００１２】
また、本発明の半田接合構造は、前記導体が、複数の素線を撚り合わせてなるものとしてもよい。このような構成によれば、融解した半田が導体に含侵しやすいから、導体をより強固に固着することができる。
【００１３】
＜実施例＞
以下、本発明を具体化した一実施例について、図１〜図７を参照しつつ詳細に説明する。
本実施例における半田接合構造は、電線１０の導体１１の外周面に周方向に沿う形状をなして導体１１が半田付けされる導体接着面２１と、導体接着面２１にセットされた固形半田３０を固定する固定手段２２と、を備えている。
【００１４】
電線１０は、複数の素線を螺旋状に撚り合わせてなる導体１１を、絶縁被覆１２で包囲してなるものである。電線１０の端部は、絶縁被覆１２が除去されて導体１１が露出している。
【００１５】
導体接着面２１は、電線１０が半田付けされる半田付け部２０に設けられている。半田付け部２０は、銅又は銅合金からなる導電性の金属板を曲げ加工等することで形成されている。半田付け部２０は、導体１１の外周面に周方向に沿うような断面半円形状をなして、上方に開放された形態とされている。半田付け部２０の内周面が導体接着面２１とされ、半田付け部２０の上方から固形半田３０および導体１１が順にセットされる。
【００１６】
半田付け部２０（導体接着面２１）の軸方向の寸法は、導体１１の露出部分の長さ寸法（半田付けされる部分の長さ寸法）に合わせた寸法とされている。また、半田付け部２０（導体接着面２１）の周方向の寸法は、図７に示すように、半田接合された導体１１の上端よりも周方向の両端が若干上方に位置する寸法とされている。なお、半田付け部２０（導体接着面２１）の周方向における両端の高さ位置は同等とされている。
【００１７】
半田付け部２０は、図５に示されたように、導体接着面２１にセットされた導体１１の側方に立ち上がる壁部２３を備えている。壁部２３は、半田付け部２０の周方向における両端部である。壁部２３の端面（半田付け部２０の周方向における端面）２４は、平坦な略水平面とされている。
【００１８】
固定手段２２は、半田付け部２０の周方向における両側に一対が設けられている。固定手段２２は、図１に示すように、半田付け部２０の軸方向の端部に位置して、壁部２３の端面２４に立設されている。
【００１９】
固定手段２２は、図２に示すように、半田付け部２０の周方向に沿って立つ脚部２２Ａと、脚部２２Ａの先端から内側（導体接着面２１側）に張り出して固形半田３０に係止する係止部２２Ｂとを備えている。係止部２２Ｂは、それぞれ固形半田３０の周方向の端面を横切って固形半田３０の内側まで延出し、固形半田３０の端部に被さるように湾曲している。
【００２０】
固形半田３０は、加熱されて溶融することにより、導体接着面２１に電線１０の導体１１を接続して固定する役割をはたす。固形半田３０は、材料として鉛フリーの錫半田が用いられ、導体接着面２１に重ねて嵌合可能な薄い板状に形成されている。固形半田３０の量は、溶融されたときに、導体１１を導体接着面２１に半田付けするのに最適な量に設定されている。固形半田３０の厚さ寸法は略一定とされ、固形半田３０の前後長は、半田付け部２０に収まる範囲内に設定されている。
【００２１】
固形半田３０は、導体１１の外周面に沿う円弧形状をなすように湾曲し、上端側が開放されている。固形半田３０は、図５に示すように、導体１１の外周面の周方向の半分以上を取り囲む大きさとされている。固形半田３０の内周面は概ね導体１１の外周面に沿い、固形半田３０の外周面は概ね導体接着面２１に沿って配される。
【００２２】
次に、半田付け部２０に電線１０を半田接合する方法の一例を説明する。
まず、半田付け部２０に固形半田３０をセットする。固形半田３０を導体接着面２１に載置して軸方向に移動させ、固形半田３０の端部が固定手段２２の係止部２２Ｂの下側に入り込むようにする。これにより、固形半田３０は、導体接着面２１の適正な位置に載った状態で、周方向および上下方向の変位を制限されて固定される。このとき、固形半田３０の周方向における両端部は、半田付け部２０の両端面２４よりも上方に突出している（図５参照）。
【００２３】
その後、固形半田３０がセットされた端子金具またはコネクタを、半田の接続作業を行う作業場に搬送する。固形半田３０は固定手段２２によって半田付け部２０に固定されているため、適正な位置にセットされた状態が保たれる。
【００２４】
次に、電線１０の導体１１を半田付け部２０にセットする。電線１０の端部において露出された導体１１を、図５に示すように、固形半田３０の内側にセットする。導体１１を、固形半田３０の上端側から差し入れて、固形半田３０の内周面に当接した状態にする。
【００２５】
次いで、熱源Ｈにより固形半田３０を加熱して溶融させる。熱源Ｈを、導体１１の上端および固形半田３０の周方向の両端部に接触させて加熱する。このとき、半田付け部２０の端面２４が熱源Ｈに近接して配されることで、半田付け部２０も加熱される。加熱により、固形半田３０は溶融して導体１１の素線間に浸透し、また、図６に示すように、導体１１を包むようにして導体接着面２１と導体１１の外周面との間の隙間に広がる。導体１１は、溶融された半田３１内に沈降する。
【００２６】
導体１１の沈降に伴って、図７に示すように、熱源Ｈが半田付け部２０の両端面２４に当接し、半田付け部２０が熱源Ｈによって直接加熱される。やがて、溶融した半田３１が導体１１の上面側に広がって全周を包囲する。なお、半田付け部２０の両壁部２３は熱源Ｈに押されて若干開いた状態になる。
【００２７】
こうして、導体１１は、半田付け部２０に対して固形半田３０の量に相当する所定の半田量をもって接合される。なお、固形半田３０が薄い板状をなしているから、固形半田３０を溶融する前の導体１１の位置（図５参照）と、溶融後の導体１１の位置（図７参照）とで高さ方向の変位量が比較的小さいため、この変位量が大きい場合に比して、接続品質がばらつくことを防ぐことができる。
以上により、半田付け部２０への電線１０の半田接合作業が完了する。
【００２８】
次に、上記のように構成された実施例の作用および効果について説明する。
本実施例の半田接合構造は、電線１０の導体１１の外周面に周方向に沿う形状をなして導体１１が半田付けされる導体接着面２１と、導体接着面２１にセットされた固形半田３０を固定する固定手段２２と、を備えている。この構成によれば、半田付けに必要な半田の量が少なくてすむから固形半田３０の溶解熱を小さくでき、また固定手段２２により、固形半田３０が適正な位置に保持されるから、導体接着面２１にセットした固形半田３０の位置がずれたり、半田付け温度が不足して固形半田３０の溶解が不十分になることを容易に防ぐことができ、固形半田３０を用いて容易に半田接合を行うことができる。
【００２９】
また、導体接着面２１を有する半田付け部２０が、導体接着面２１にセットされた導体１１の側方に立ち上がる壁部２３を備えている。この構成によれば、熱源Ｈを、半田付け部２０の壁部２３に近接または当接させることで固形半田３０のみならず半田付け部２０も加熱することができるから、固形半田３０の溶解を速やかに行うことができ、比較的短い時間で良好な半田接合を行うことができる。
【００３０】
また、固定手段２２は、導体接着面２１側に張り出して固形半田３０に係止する係止部２２Ｂを備えている。この構成によれば、係止部２２Ｂが固形半田３０に係止することで、固形半田３０の位置ずれを防ぐことができる。
【００３１】
また、導体１１が、複数の素線を撚り合わせてなるものとされている。この構成によれば、融解した半田３１が導体１１に含侵しやすいから、導体１１をより強固に固着することができる。
【００３２】
＜他の実施例＞
本発明は上記記述及び図面によって説明した実施例に限定されるものではなく、例えば次のような実施例も本発明の技術的範囲に含まれる。
（１）上記実施例では、導体接着面２１が、導体１１の外周面に沿って湾曲しているが、これに限らず、導体接着面は、概ね導体の外周面に沿う形状であればよく、例えば複数の平らな面が概ね導体の外周面に沿うように連続して形成されたものであってもよい。
（２）上記実施例では、半田付け部２０は金属板を曲げ加工等することで、断面が半円形状をなすように屈曲されてその内周面が導体接着面２１とされているが、これに限らず、半田付け部はどのような形状であってもよく、例えば半田付け部がブロック状をなし、その上面に導体接着面が凹み形成されたものであってもよい。
（３）上記実施例では、固定手段２２は、脚部２２Ａと係止部２２Ｂとを備えているが、これに限らず、例えば、固定手段は、半田付け部の周方向の両端部と固形半田の周方向の両端部とが互いに当接することで弾性力を生じる構造とし、その弾性力により固形半田を固定するものとしてもよい。
（４）上記実施例では、溶融した半田３１が導体１１の全周を包囲するものとしているが、これに限らず、半田の量は適宜変更してもよく、例えば、導体の半周程度に付着するものとしてもよい。
（５）上記実施例では、電線１０は、複数の素線が撚り合わされてなる導体１１を絶縁被覆１２で包囲してなる撚線とされているが、これに限らず、電線は、１本の導体を絶縁被覆で包囲してなる単芯線であってもよく、また同軸ケーブルであってもよい。
【符号の説明】
【００３３】
１０…電線
１１…導体
２０…半田付け部
２１…導体接着面
２２…固定手段
２２Ｂ…係止部
２３…壁部
３０…固形半田
【図１】
2016024923.tif 000003
【図２】
2016024923.tif 000004
【図３】
2016024923.tif 000005
【図４】
2016024923.tif 000006
【図５】
2016024923.tif 000007
【図６】
2016024923.tif 000008
【図７】
2016024923.tif 000009